(57)【要約】【課題】両手の指を同時にマッサージすることができるマッサージ装置を提供すること。【解決手段】使用者の両手の各指を右操作体２及び左操作体３の親指挿入部１１、人差し指挿入部１２、中指挿入部１３、薬指挿入部１４、小指挿入部１５に挿入し、抜き差し方向に各指を往復移動させると、第１のマッサージ押圧部１１Ａ、１２Ａ、１２Ｂ、１３Ａ、１４Ａ、１５Ａ、１５Ｂにより各指の根元部の甲側を押圧しながらマッサージし、また第２のマッサージ押圧部１１Ｂ、１１Ｃ、１１Ｄ、１２Ｃ、１３Ｂ、１４Ｂ、１５Ｃにより各指の根元部の手のひら側、側面を押圧しながらマッサージし、更にはマッサージ押圧部１１Ｅ乃至１１Ｈ、１２Ｅ乃至１２Ｈ、１３Ｅ乃至１３Ｈ、１４Ｅ乃至１４Ｈ、１５Ｅにより、各指の先端部の甲側、手のひら側、側面を押圧しながらマッサージする。【選択図】  図１
2004351001.tif 000002
【特許請求の範囲】
【請求項１】
左の指が挿入される左指挿入部を備えた左操作体と、右の指が挿入される右指挿入部を備えた右操作体と、両操作体を連結する連結体とから構成し、前記両操作体の左指挿入部及び右指挿入部にそれぞれ左右の指を挿入させた状態で抜き差し方向に移動させることにより各指を押圧してマッサージするマッサージ押圧部を前記両操作体にそれぞれ設けたことを特徴とするマッサージ装置。
【請求項２】
前記マッサージ押圧部を前記両操作体の左右に設け、前記左指挿入部及び右指挿入部にそれぞれ左右の指を挿入させた状態で抜き差し方向に移動させた際に各指の先端部及び根元部をマッサージすることを特徴とする請求項１に記載のマッサージ装置。
【請求項３】
前記マッサージ押圧部を前記両操作体の左指挿入部及び右指挿入部内に設け、前記左指挿入部及び右指挿入部にそれぞれ左右の指を挿入させた状態で抜き差し方向に移動させた際に各指の中間部をマッサージすることを特徴とする請求項１に記載のマッサージ装置。
【請求項４】
前記両操作体の左指挿入部及び右指挿入部にそれぞれ左右の指を挿入させた状態で、左右いずれかの手を他の手の方向に押圧した際に手のひらを押圧する指圧押圧部を前記両操作体に設けたことを特徴とする請求項１に記載のマッサージ装置。
【発明の詳細な説明】
【０００１】
【発明の属する技術分野】
本発明は、手指を自分自身でマッサージできるマッサージ装置に関する。
【０００２】
【従来の技術】
一般にキーパンチャーや、コンピュータ等を利用する人等は、手指が疲れるため、自分自身で直接的にか間接的にかマッサージしたり、またマッサージ師にお願いして疲労回復を図っている。そして、間接的にマッサージするために、特開平９−１０８２９６号公報にて指間マッサージ器が提案されている。
【０００３】
【特許文献】
特開平９−１０８２９６号公報
【０００４】
【発明が解決しようとする課題】
しかし、特開平９−１０８２９６号公報に開示されるマッサージ器は、各指の間のマッサージであって、両手を同時にマッサージすることができない。
【０００５】
そこで本発明は、両手の指を同時にマッサージすることができるマッサージ装置を提供することを目的とする。
【０００６】
【課題を解決するための手段】
このため第１の発明は、左の指が挿入される左指挿入部を備えた左操作体と、右の指が挿入される右指挿入部を備えた右操作体と、両操作体を連結する連結体とから構成し、前記両操作体の左指挿入部及び右指挿入部にそれぞれ左右の指を挿入させた状態で抜き差し方向に移動させることにより各指を押圧してマッサージするマッサージ押圧部を前記両操作体にそれぞれ設けたことを特徴とする。
【０００７】
第２の発明は、第１の発明において、前記マッサージ押圧部を前記両操作体の左右に設け、前記左指挿入部及び右指挿入部にそれぞれ左右の指を挿入させた状態で抜き差し方向に移動させた際に各指の先端部及び根元部をマッサージすることを特徴とする。
【０００８】
第３の発明は、第１の発明において、前記マッサージ押圧部を前記両操作体の左指挿入部及び右指挿入部内に設け、前記左指挿入部及び右指挿入部にそれぞれ左右の指を挿入させた状態で抜き差し方向に移動させた際に各指の中間部をマッサージすることを特徴とする。
【０００９】
第４の発明は、第１の発明において、前記両操作体の左指挿入部及び右指挿入部にそれぞれ左右の指を挿入させた状態で、左右いずれかの手を他の手の方向に押圧した際に手のひらを押圧する指圧押圧部を前記両操作体に設けたことを特徴とする。
【００１０】
【発明の実施の形態】
以下図１乃至図４に基づき、本発明の実施の形態について説明する。図１はマッサージ装置１の斜視図、図２はマッサージ装置１の平面図、図３は右操作体２内方から見た斜視図、図４は右操作体２右側面図を示している。
【００１１】
先ず、使用者が手指を自分自身でマッサージできるマッサージ装置１は、大きく分けて右操作体２と、左操作体３と、両操作体２と３とを連結する連結体４と、両操作体２、３の内側及び連結体４を覆う布体５とから構成される。
【００１２】
以下詳述するが、右操作体２と左操作体３とは対称であるため、特別明記した場合を除き、両者同一の番号・記号を用いて説明する。この右操作体２の本体１０及び左操作体３の本体２０には、図１及び図４で明かなように、使用者の手の親指が外方から挿入される親指挿入部１１、同じくこの親指挿入部１１と少し離れた位置に人差し指が挿入される人差し指挿入部１２、同じくこの人差し指挿入部１２に隣接した位置に中指が挿入される中指挿入部１３、同じくこの中指挿入部１３に隣接した位置に薬指が挿入される薬指挿入部１４、同じくこの薬指挿入部１４に隣接した位置に小指が挿入される小指挿入部１５が開設されて形成される。各挿入部１１乃至１５は、側面視矩形状を呈しているが、概ね円形状を呈するように形成してもよい。
【００１３】
そして、各指を案内するもので、右操作体２及び左操作体３の外側に各挿入部１１乃至１５を形成する１辺又は２辺どうしを連結するような指案内壁１６を立設すると共に、残りの３辺又は２辺どうし及び指案内壁１６を連結するような、前記指案内壁１６より高さが低い指案内壁１７を立設する。
【００１４】
そして、各挿入部１１乃至１５に面する前記指案内壁１６の外側中央部には主として各指の根元部の甲側をマッサージするための第１のマッサージ押圧部１１Ａ、１２Ａ、１２Ｂ、１３Ａ、１４Ａ、１５Ａ、１５Ｂを設けると共に、各挿入部１１乃至１５に面して隣接する前記指案内壁１７を除いた前記指案内壁１７の外側中央部には主として各指の根元部の手のひら側、側面をマッサージするための第２のマッサージ押圧部１１Ｂ、１１Ｃ、１１Ｄ、１２Ｃ、１３Ｂ、１４Ｂ、１５Ｃを設ける。更に、前記指案内壁１６の各挿入部１１乃至１５を形成する内側面にも、各指の中間部をマッサージするための第３のマッサージ押圧部１１Ｋ乃至１５Ｋを適宜形成する。
【００１５】
また、各挿入部１２、１３、１４、１５の境界となる隣接した前記指案内壁１７の外側中央部には、各挿入部１２乃至１５に各指が挿入された際に指の股に当接してこの股を押圧可能な当接部１８を形成する。
【００１６】
一方、右操作体２及び左操作体３の内側に各挿入部１１乃至１５を形成する辺どうしを連結するような指案内壁１９を立設する。この場合、親指挿入部１１を形成する辺どうしを連結する指案内壁１９Ａは、他の挿入部１２乃至１５を形成する辺どうしを連結する指案内壁１９Ｂより高さを低く形成する。従って、右操作体２の本体１０又は左操作体３の本体２０と、指案内壁１６及び１７と、指案内壁１９（１９Ａ及び１９Ｂ）とで両側方が開口した角筒状を呈することなり、各指を挿入し易くしている。
【００１７】
そして、各挿入部１１乃至１５に面する前記指案内壁１９Ａ、１９Ｂの外側中央部には各指の先端部の甲側、手のひら側、側面をマッサージするためのマッサージ押圧部１１Ｅ乃至１１Ｈ、１２Ｅ乃至１２Ｈ、１３Ｅ乃至１３Ｈ、１４Ｅ乃至１４Ｈを設け、また小指挿入部１５内の前記指案内壁１９Ｂの各面にはマッサージ押圧部１５Ｅを形成する。更に、前記指案内壁１９Ｂの各挿入部１２乃至１４を形成する内側面にも、各指の中間部をマッサージするためのマッサージ押圧部１２Ｌ乃至１５Ｌを適宜形成する。この場合、各指の中間部をマッサージするためのマッサージ押圧部は、各挿入部１２乃至１４を形成する内側面に限らず、挿入部１１や１５に設けてもよく、更には各挿入部を形成する内側面の全ての面に設けても任意の面に１乃至複数個設けてもよい。
【００１８】
そして、上記のマッサージ押圧部１１Ａ乃至１１Ｄ、１２Ａ乃至１２Ｃ、１３Ａ及び１３Ｂ、１４Ａ及び１４Ｂ、１５Ａ乃至１５Ｃ、またマッサージ押圧部１１Ｅ乃至１１Ｈ、１２Ｅ乃至１２Ｈ、１３Ｅ乃至１３Ｈ、１４Ｅ乃至１４Ｈ、１５Ｅは、その先端部が挿入される各指の方向に突出した部分が形成されており、各指をマッサージし易く構成されている。また、各マッサージ押圧部は、各指の長さに対応して押圧端部の位置が決められている。なお、挿入される各指の方向に各マッサージ押圧部の根元部から先端部にかけて徐々に近くなるように、当該マッサージ押圧部を形成するようにしてもよい。
【００１９】
また、右操作体２及び左操作体３とは、連結体４により連結されるが、この連結体４について説明する。この連結体４は、合成樹脂材料、例えばポリプロピレンで作成されその両端部の側面中央部にネジ孔（図示せず）が開設された連結棒４Ａと、指圧押圧部２３、２４を備えると共に両指圧押圧部２３、２４を連結する部位に取付開口（図示せず）が形成された固定部材４Ｂと、前記連結棒４Ａを右操作体２の本体１０及び左操作体３の本体２０に開設された取付溝２１に挿入した状態で両側方から開口２２を介して前記固定部材４Ｂを前記連結棒４Ａのネジ孔（図示せず）に固定側側面中央部に設けたネジ（図示せず）を嵌合させることにより固定する指圧押圧部材４Ｃとから構成される。
【００２０】
即ち、左右端部が開口した袋状を呈した布体５の右端部を右操作体２の内側に立設した指案内壁１９を覆うように固定し、次いで前記連結棒４Ａを右操作体２の本体１０及び左操作体３の本体２０に開設された取付溝２１に挿入し、それぞれ前記固定部材４Ｂを介在させた状態で両側方から開口２２を介して前記連結棒４Ａのネジ孔（図示せず）に指圧押圧部材４Ｃのネジを嵌合させることにより各固定部材４Ｂを本体２０、３０に固定し、最後に前記布体５の左端部を左操作体３の内側に立設した指案内壁１９を覆うように固定するものである。
【００２１】
なお、前記指圧押圧部材４Ｃの外側面部は概ね半球状を成すと共に、この外側面部の中央部及び外端部に数点の突起２５が形成されている。この突起２５により手のひらを指圧することができる。
【００２２】
なお、前記連結棒４Ａを除き、各マッサージ押圧部を含む右操作体２及び左操作体３は半硬質か軟質の合成樹脂材料、例えば熱可塑性の合成樹脂材料であるエラストマーで作製する。これにより、特に各マッサージ押圧部を指の太さに合わせて、及び強、弱に折り曲げることができる。
【００２３】
以上のような構成により、以下このマッサージ装置１の使用方法について説明する。先ず、使用者の両手の各指を右操作体２及び左操作体３の親指挿入部１１、人差し指挿入部１２、中指挿入部１３、薬指挿入部１４、小指挿入部１５に挿入する。
【００２４】
そして、この各挿入部１１乃至１５に両手の各指を挿入した状態で、抜き差し方向に各指を往復移動させると、第１のマッサージ押圧部１１Ａ、１２Ａ、１２Ｂ、１３Ａ、１４Ａ、１５Ａ、１５Ｂにより各指の根元部の甲側を押圧しながらマッサージすることができる。また、第２のマッサージ押圧部１１Ｂ、１１Ｃ、１１Ｄ、１２Ｃ、１３Ｂ、１４Ｂ、１５Ｃにより各指の根元部の手のひら側及び側面を押圧しながらマッサージすることができる。また、第３のマッサージ押圧部１１Ｋ乃至１５Ｋにより、及びマッサージ押圧部１２Ｌ乃至１５Ｌにより各指の中間部の甲側、手のひら側、側面をマッサージすることができる。更には、マッサージ押圧部１１Ｅ乃至１１Ｈ、１２Ｅ乃至１２Ｈ、１３Ｅ乃至１３Ｈ、１４Ｅ乃至１４Ｈ、１５Ｅにより、各指の先端部の甲側、手のひら側、側面を押圧しながらマッサージすることができる。このように、手指をマッサージして経絡やツボを刺激する。
【００２５】
そして、使用者の両手を狭める方向に押圧すると、前記指圧押圧部材４Ｃ及びその突起２５により、更に指圧押圧部２３、２４により手のひらの経絡やツボを刺激する。このとき、前記指圧押圧部材４Ｃは手のひらの略中央部を、指圧押圧部２３は手のひらの親指の根元部分を、また指圧押圧部２４は薬指や小指の根元部分などを指圧することができる。
【００２６】
従って、特に両手の各指の甲側、手のひら側、側面をマッサージして、また手のひらを指圧することにより、脳を刺激し、疲労回復や健康の維持向上を図ることができる。
【００２７】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００２８】
【発明の効果】
以上説明したように本発明は、両手の指を同時にマッサージすることができるマッサージ装置を提供することができ、特に各指のまわり（周側面）をマッサージして、また手のひらを指圧することにより、脳を刺激し、血行促進により手指の麻痺や運動能力を快復し、疲労回復や健康の維持向上を図ることができる。
【図面の簡単な説明】
【図１】マッサージ装置の斜視図を示す。
【図２】マッサージ装置の平面図を示す。
【図３】右操作体を内方から見た斜視図である。
【図４】右操作体の右側面図を示す。
【符号の説明】
１                マッサージ装置
２                右操作体
３                左操作体
４                連結体
４Ｃ              指圧押圧部材
１１              親指挿入部
１２              人差し指挿入部
１３              中指挿入部
１４              薬指挿入部
１５              小指挿入部
１１Ａ乃至１１Ｄ  マッサージ押圧部
１２Ａ乃至１２Ｃ  マッサージ押圧部
１３Ａ乃至１３Ｂ  マッサージ押圧部
１４Ａ、Ｂ、Ｅ    マッサージ押圧部
１５Ａ乃至１５Ｃ  マッサージ押圧部
１１Ｅ乃至１１Ｈ  マッサージ押圧部
１２Ｅ乃至１２Ｈ  マッサージ押圧部
１３Ｅ乃至１３Ｈ  マッサージ押圧部
１４Ｅ乃至１４Ｈ  マッサージ押圧部
１５Ｅ            マッサージ押圧部
２３、２４        指圧押圧部
【図１】
2004351001.tif 000003
【図２】
2004351001.tif 000004
【図３】
2004351001.tif 000005
【図４】
2004351001.tif 000006